【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
ターゲットの速度を測定するためのシステムであって、
周波数変調されたレーザ・ビームを生成するよう構成されたレーザ装置であって、周波数変調されたビームは少なくとも２つのレーザ・ビームに分割され、１つの分割ビームを含む反射されるビームは、ターゲットに向けられてターゲットから反射されるものである、前記レーザ装置と、
反射されたビームと、もう１つの分割ビームを含む基準ビームとの結合を検出するよう構成された検出器であって、反射されたビーム及び基準ビームは等しくない遅延を有するものである前記検出器と、
変調周波数のドップラ・シフトされた高調波を用いることにより、結合されたビームから速度情報を得るように構成された信号プロセッサと、
を備えたシステム。
【請求項２】
検出器及びレーザ装置は、アセンブリの内側に一緒に構成される請求項１に記載のシステム。
【請求項３】
システムと相対的なターゲット速度は、正、負またはゼロであり得る請求項１に記載のシステム。
【請求項４】
得られた速度情報は、速度の大きさ及び符号を含む請求項１に記載のシステム。
【請求項５】
高調波信号は１つの奇数高調波及び１つの偶数高調波を含む請求項１に記載のシステム。
【請求項６】
奇数高調波は第３高調波を含み、偶数高調波は第２高調波を含む請求項５に記載のシステム。
【請求項７】
さらに、
各々が、周波数において高調波信号に対応する信号を提供する複数の発振器と、
各々が、ミキシングされた信号を生成するよう、発振器信号の各々を、結合された信号と別々にミキシングするよう構成された複数のミキサとを備え、信号プロセッサは、ミキシングされた信号をドップラ処理することにより速度情報を得るように構成されている請求項１に記載のシステム。
【請求項８】
２つのミキシングされた信号は、直角位相ミキサで処理するために適切な直角位相対である請求項７に記載のシステム。
【請求項９】
信号プロセッサは、さらに、異なった高調波の比較からターゲットに向かう距離情報を得るように構成された請求項１に記載のシステム。
【請求項１０】
反射されたビーム及び基準ビームは、レーザ装置内で結合される請求項１に記載のシステム。
【請求項１１】
レーザ装置は検出器を含む請求項１０に記載のシステム。
【請求項１２】
基準ビームは周波数変調されたレーザ・ビームで或る請求項１０に記載のシステム。
【請求項１３】
さらに、周波数変調を行うように構成された別の周波数変調部を備える請求項１に記載のシステム。
【請求項１４】
ビームを分割し、一方のビームをターゲットに向け、反射されたビームを基準ビームと併合するように構成された光学素子アセンブリをさらに備えた請求項１に記載のシステム。
【請求項１５】
基準ビームは、ターゲットにも向けられ、反射されたビームとターゲット上で結合される請求項１に記載のシステム。
【請求項１６】
反射されたビーム及び基準ビームを結合するよう構成された外部の結合器をさらに備えた請求項１に記載のシステム。
【請求項１７】
システムが速度測定を特定のターゲット距離範囲に集中させるのを可能とするように構成されたスイッチをさらに備えた請求項１に記載のシステム。
【請求項１８】
１つ以上のレーザ装置を備え、その各々が、速度の１つ以上の成分を得るように異なった方向に向いている請求項１に記載のシステム。
【請求項１９】
得られた速度情報は、位置の変化を見付けるように用いられる請求項１に記載のシステム。
【請求項２０】
得られた速度情報は、ターゲットの振動の速度を含む請求項１に記載のシステム。
【請求項２１】
ターゲットの速度を測定するためのシステムであって、
ターゲットに向けられてターゲットから反射された周波数変調されたレーザ・ビームを生成するよう構成されたレーザ装置であって、ターゲットから反射されたビームと周波数変調されたレーザ・ビームとの結合を検出するように構成された検出器を備え、反射されたビームと周波数変調されたレーザ・ビームとは等しくない遅延を有する、前記レーザ装置と、
変調周波数のドップラ・シフトされた高調波を用いることによって、結合されたビームから速度の符号及び大きさの双方を得るように構成された信号プロセッサであって、ここに、高調波周波数は、変調周波数の１つの奇数及び１つの偶数高調波の回りに中心付けられるものである、前記信号プロセッサと、
を備えたシステム。
【請求項２２】
信号プロセッサは、さらに、奇数及び偶数高調波信号の比較からターゲットに向かう距離情報を得るように構成されている請求項２１に記載のシステム。
【請求項２３】
第２及び第３高調波周波数から導出された信号は、直角位相ミキサを形成するように用いられる請求項２１に記載のシステム。
【請求項２４】
１つ以上のレーザ装置を備え、その各々は、速度の１つ以上の成分を得るために、異なった方向に向いている請求項２１に記載システム。
【請求項２５】
得られた速度情報は、位置の変化を見付けるために用いられる請求項２１に記載のシステム。
【請求項２６】
得られた速度情報は、ターゲットの振動の速度を含む請求項２１に記載のシステム。
【請求項２７】
ターゲットの速度を測定するためのシステムであって、
周波数変調されたレーザ信号を発生するための手段であって、該周波数変調された信号は、少なくとも２つの分割レーザ・ビームに分割され、一方の分割レーザ・ビームを含む反射されたビームは、ターゲットに向けられてターゲットから反射されるものである、前記レーザ信号発生手段と、
反射されたビームと、もう一方の分割レーザ・ビームを含む基準ビームとを受信するための手段であって、反射されたビーム及び基準ビームは、等しくない遅延を有するものである前記受信手段と、
変調周波数のドップラ・シフトされた高調波を用いることにより、反射されたビームと分割レーザ・ビームとの結合から速度情報を得るための手段と、
を備えたシステム。
【請求項２８】
速度情報は、速度の大きさ及び符号を含む請求項２７に記載のシステム。
【請求項２９】
高調波信号は、１つの奇数高調波及び１つの偶数高調波を含む請求項２８に記載のシステム。
【請求項３０】
偶数高調波は第２の高調波であり、奇数高調波は第３の高調波である請求項２９に記載のシステム。
【請求項３１】
異なった高調波の比較からターゲットに向かう距離情報を得るための手段をさらに備えた請求項２７に記載のシステム。
【請求項３２】
発生手段及び得るための手段は、同じ空間を占める請求項２７に記載のシステム。
【請求項３３】
発生手段及び得るための手段は、異なった空間を占める請求項２７に記載のシステム。
【請求項３４】
速度から位置の変化を得るための手段をさらに備える請求項２７に記載のシステム。
【請求項３５】
速度情報は、ターゲットの振動の速度を含む請求項２７に記載のシステム。
【請求項３６】
ターゲットの速度を測定する方法であって、
ターゲットに向けられてターゲットから反射される周波数変調されたレーザ信号を発する段階と、
反射された信号を、もう１つの信号経路を介して送信された周波数変調されたレーザ信号を含む基準信号と結合する段階と、ここに、反射された信号と基準信号とは等しくない遅延を有するものであり、そして
変調周波数のドップラ・シフトされた高調波を用いることにより、結合された信号から速度情報を得る段階と、
を含む方法。
【請求項３７】
速度情報は、速度の大きさ及び符号を含む請求項３６に記載の方法。
【請求項３８】
高調波信号は、１つの奇数高調波及び１つの偶数高調波を含む請求項３６に記載の方法。
【請求項３９】
偶数高調波は第２の高調波であり、奇数高調波は第３の高調波である請求項３８に記載の方法。
【請求項４０】
さらに、異なった高調波の比較からターゲットに向かう距離情報を得る請求項３６に記載の方法。
【請求項４１】
発生及び結合作用は、同じ空間で行われる請求項３６に記載の方法。
【請求項４２】
発生及び結合作用は、別々に行われる請求項３６に記載の方法。
【請求項４３】
得られた速度は、位置の変化を得るために用いられる請求項３６に記載の方法。
【請求項４４】
速度情報は、ターゲットの振動の速度を含む請求項３６に記載の方法。